(57)【要約】【課題】ケーブルの接続の確認を短時間で容易に行うことができるケーブル接続装置、読取装置、ケーブル接続確認装置を提供する。【解決手段】識別情報が記憶された線側ＲＦＩＤ（ｙ）が付されたケーブル４に電気的に接続される機器を有する筐体１１と、筐体１１に取り付けられ、ケーブル４を構成する芯線４１が着脱可能に接続される複数の台側端子Ｔを有する端子台１２と、各台側端子Ｔ毎に、各台側端子Ｔに対応する位置に設けられ、各台側端子Ｔを識別する識別情報が記憶された台側ＲＦＩＤ（ｘ）と、を有する。【選択図】図１
2018045945.tif 000002
【特許請求の範囲】
【請求項１】
ケーブルと電気的に接続される機器を有する筐体と、
前記筐体に取り付けられ、前記ケーブルを構成する芯線が着脱可能に接続される複数の端子を有する端子台と、
前記端子台の端子毎に、各端子に対応する位置に設けられ、各端子を識別する識別情報が記憶されたＲＦＩＤと、
を有するケーブル接続装置。
【請求項２】
ケーブルと、
前記ケーブルと電気的に接続される機器を有する筐体と、
前記筐体に取り付けられ、前記ケーブルを構成する芯線が着脱可能に接続される複数の端子を有する端子台と、
前記端子台の端子毎に、各端子に対応する位置に設けられ、各端子を識別する識別情報が記憶された第１のＲＦＩＤと、
前記ケーブルの芯線毎に設けられ、各ケーブル又は各芯線を識別する識別情報が記憶された第２のＲＦＩＤと、
を有するケーブル接続装置。
【請求項３】
請求項２記載のケーブル接続装置の端子台に設けられた前記第１のＲＦＩＤから識別情報を読み取る第１の読取部と、
前記ケーブルに設けられた前記第２のＲＦＩＤから識別情報を読み取る第２の読取部と、
を有する読取装置。
【請求項４】
前記第１の読取部は、各端子に対応する位置に複数配設されている請求項３記載の読取装置。
【請求項５】
前記第２の読取部は、各第１の読取部に対応する位置に複数配設されている請求項４記載の読取装置。
【請求項６】
前記第２の読取部は、前記ケーブルの芯線の前記第２のＲＦＩＤが付された部分を、前記芯線毎に収容する複数の収容部を有する請求項５記載の読取装置。
【請求項７】
前記第１の読取部と前記第２の読取部とは、共通の本体部に設けられている請求項３乃至６のいずれかに記載の読取装置。
【請求項８】
請求項３乃至７のいずれかの読取装置によって読み取られた識別情報が入力される入力部と、
前記入力部から入力された識別情報に基づいて、互いに接続されている端子とケーブルとの対応関係を示すテーブルを作成する作表部と、
前記テーブルを表示する表示部と、
を有するケーブル接続確認システム。
【発明の詳細な説明】
【技術分野】
【０００１】
本発明の実施形態は、ケーブル接続装置、読取装置及びケーブル接続確認システムに関する。
【背景技術】
【０００２】
監視盤は、変電所や配電室内に設置され、受変電系統に存在する各種の電力機器の状態を一括監視し、異常があれば警報を出して設備管理者に知らせる役割を担っている。このような監視盤は、リレー等、外部の設備との電気的な接続を確保するためのケーブルが接続される。
【先行技術文献】
【特許文献】
【０００３】
【特許文献１】特開２００５−８０３２１号公報
【発明の概要】
【発明が解決しようとする課題】
【０００４】
上記のような監視盤が設置された受変電設備などにおいては、既設設備の一部を、順次新設備に更新していくステップ更新が行われる。この場合、既設設備と新設備とが併存して運用される状態が生じることになる。そこで、ステップ更新において、設備を問題なく運用するために、既設設備と新設備との間での適切なインタロック、保護を構築する改造を行う必要がある。このような設備間での制御を構築するためには、ケーブルが端子のどこに接続されているかを特定する必要がある。これは一般的には、作業員が図面を参照して行っていた。
【０００５】
但し、実際には、既設設備のケーブルが図面と異なる端子に接続されている場合がある。したがって、ケーブルが図面に記載されている番号に正しく接続されているかを確認するために、管理表を作成し、作業員が、ケーブル毎に目視によって実際の接続状態と一致しているか否かをチェックしていた。
【０００６】
しかし、年次点検などを行う際には、客先から指定される点検期間が短い場合など、目視での確認では、短時間に正確に行うことは困難であった。
【０００７】
本発明が解決しようとする課題は、ケーブルの接続の確認を短時間で容易に行うことができるケーブル接続装置、読取装置、ケーブル接続確認装置を提供することにある。
【課題を解決するための手段】
【０００８】
本実施形態のケーブル接続装置は、ケーブルと電気的に接続される機器を有する筐体と、前記筐体に取り付けられ、前記ケーブルを構成する芯線が着脱可能に接続される複数の端子を有する端子台と、前記端子台の端子毎に、各端子に対応する位置に設けられ、各端子を識別する識別情報が記憶されたＲＦＩＤと、を有する。
【図面の簡単な説明】
【０００９】
【図１】実施形態のケーブル接続確認システムを示す全体構成図
【図２】実施形態の端子台を示す斜視図
【図３】実施形態のケーブルを示す側面図
【図４】実施形態の読取装置を示す斜視図
【図５】図４の読取装置のブロック図
【図６】図１のケーブル接続確認装置のブロック図
【図７】図４の読取装置の使用態様を示す斜視図
【図８】図６のケーブル接続確認装置が作成、表示するテーブル
【発明を実施するための形態】
【００１０】
本実施形態を、図面を参照して説明する。
［構成］
図１に示すように、本実施形態のケーブル接続確認システムＳは、ケーブル接続装置１、読取装置２、接続確認装置３を有する。ケーブル接続装置１には、ケーブル４が接続されている。以下、詳述する。
【００１１】
（ケーブル接続装置）
ケーブル接続装置１は、図１及び図２に示すように、筐体１１、端子台１２、台側ＲＦＩＤ（ｘ１）〜（ｘ７）を有する。筐体１１は、金属製の直方体形状の容器である。筐体１１は、図示はしないが、ケーブル４に電気的に接続される機器を有している。本実施形態のケーブル４は、外部の装置等と接続された外線ケーブルである。筐体１１は、その正面のほぼ全体が開放された開口部１１ａを有する。筐体１１の正面には、図示はしないが、開口部１１ａを開閉する扉が取り付けられている。
【００１２】
機器は、電力機器や、電力機器の状態を監視する装置を含む。電力機器は、開閉器、断路器、変圧器等の電力系統や受変電系統に設置された各種の機器である。電力機器の状態を監視する装置は、電力機器の監視に必要な情報を取り入れて保持、演算、伝達等の処理を行う装置である。なお、機器は、上記には限定されず、ケーブル４に電気的に接続されることにより動作するあらゆる機器を含む。
【００１３】
端子台１２は、筐体１１に取り付けられ、ケーブル４を構成する芯線４１が着脱可能に接続される複数の台側端子Ｔ１〜Ｔ７を有する。端子台１２の本体１２ａは、絶縁性の材料で形成された略直方体形状の部材である。端子台１２は、筐体１１の正面の側縁部に設けられている。７つの台側端子Ｔ１〜Ｔ７は、図２に示すように、本体１２ａの上面の一辺に沿って並設されている。台側端子Ｔ１〜Ｔ７の数は、これより多くても少なくてもよい。以下、個々の台側端子Ｔ１〜Ｔ７を区別しない場合には、台側端子Ｔとして説明する。
【００１４】
台側端子Ｔのケーブル４との接続部分は、ねじ１２ｂにより、ケーブル４の端部を、図示しない導電板に締め付け固定する構造である。導電板は、配線を介して機器に電気的に接続されている。
【００１５】
台側ＲＦＩＤ（ｘ１）〜（ｘ７）は、情報を電子的に記憶することができるＩＣチップと、このＩＣチップと外部との間で無線により情報を送受信するアンテナ等のインタフェースを備えた装置である。ＲＦＩＤは、ＩＣタグ、ＲＦタグ、電子タグ、非接触タグ等、種々の呼び方があり、これらのタグを利用したシステムをＲＦＩＤと呼ぶ場合もあるが、本実施形態では、これらのタグの総称として「ＲＦＩＤ」という用語を用いる。また、本実施形態では、バッテリーを持たず、リーダなどの外部からの電磁波を動力源として差動するパッシブ型のＲＦＩＤを適用する。
【００１６】
台側ＲＦＩＤ（ｘ１）〜（ｘ７）は、台側端子Ｔ１〜Ｔ７毎に、各台側端子Ｔ１〜Ｔ７に対応する位置に設けられた第１のＲＦＩＤである。本実施形態においては、台側ＲＦＩＤ（ｘ１）〜（ｘ７）は、端子台１２の台側端子Ｔ１〜Ｔ７が並設された一辺側の側面に、当該一辺に沿って等間隔で貼付されている。なお、各台側ＲＦＩＤ（ｘ１）〜（ｘ７）間の距離は、電波の干渉が生じない距離とすることが好ましい。また、各台側ＲＦＩＤ（ｘ１）〜（ｘ７）間に、電波の干渉をシールドするシールド部材を配置してもよい。
【００１７】
このような台側ＲＦＩＤ（ｘ１）〜（ｘ７）には、対応する各台側端子Ｔ１〜Ｔ７を識別する識別情報が記憶されている。識別情報は、例えば、端子番号０１〜０７とする。
【００１８】
（ケーブル）
ここで、台側端子Ｔに接続されるケーブル４を説明する。ケーブル４は、図３に示すように、単数又は複数の被覆された導電線である芯線４１を、まとめて一本に被覆した接続線である。ケーブル４における各芯線４１の端部には、線側端子４２が設けられている。例えば、線側端子４２は、各芯線４１の端部の被覆が剥かれて露出した導電線に取り付けられた、丸形やＹ形等の圧着端子である。図３は、線側端子４２を丸型の圧着端子とした例であり、先端の穴４２ａにねじ１２ｂの軸を挿入して、導電板に締め付け固定される。
【００１９】
さらに、ケーブル４には線側ＲＦＩＤ（ｙ）が取り付けられている。この線側ＲＦＩＤ（ｙ）は、基本的には、上記の台側ＲＦＩＤ（ｘ）と同様である。但し、線側ＲＦＩＤ（ｙ）は、芯線４１毎に取り付けられている。例えば、粘着剤が付されたシール部材によって、芯線４１の被覆部分に線側ＲＦＩＤ（ｙ）が巻き付けて固定されている。線側ＲＦＩＤ（ｙ）の取り付け位置は、後述する読取装置２によって読取可能となるように、線側端子４２の近傍となっている。
【００２０】
このような線側ＲＦＩＤ（ｙ）は、各ケーブル４又は各芯線４１を識別する識別情報が記憶された第２のＲＦＩＤである。識別情報は、例えば、図２に示すように、Ｍ０８３Ｘ０１、Ｍ０８３Ｘ０２といったケーブル符号である。各線側ＲＦＩＤ（ｙ）の識別情報は、共通のケーブル４の場合に共通であってもよいし、芯線４１毎に異なる情報であってもよい。
【００２１】
（読取装置）
読取装置２は、ＲＦＩＤの情報を読み取る装置である。読取装置２は、アンテナからの電磁波によりＲＦＩＤを励起して、ＲＦＩＤから送信される情報を受信する。読取装置２は、図４に示すように、台側ＲＦＩＤ（ｘ）から識別情報を読み取る第１の読取部２１ａ〜２１ｇ、線側ＲＦＩＤから識別情報を読み取る第２の読取部２２ａ〜２２ｇを有する。以下、各第１の読取部２１ａ〜２１ｇを区別しない場合には、第１の読取部２１とし、第２の読取部２２ａ〜２２ｇを区別しない場合には、第２の読取部２２として説明する。
【００２２】
第１の読取部２１及び第２の読取部２２は、共通の本体部２３に設けられている。本体部２３は、略直方体形状の部材である。複数の第１の読取部２１ａ〜２１ｇは、図示しないアンテナを含む通信回路を有し、各台側端子Ｔ１〜Ｔ７の台側ＲＦＩＤ（ｘ１）〜（ｘ７）に対応する位置に設けられている。より具体的には、第１の読取部２１ａ〜２１ｇは、本体部２３の上面における一辺に沿って並設されている。このように、第１の読取部２１ａ〜２１ｇが設けられた側の側面を、各第１の読取部２１ａ〜２１ｇが各台側ＲＦＩＤ（ｘ１）〜（ｘ７）に合致するように近接させることにより、台側ＲＦＩＤ（ｘ１）〜（ｘ７）の識別情報が読み取り可能となる。
【００２３】
第２の読取部２２ａ〜２２ｇは、図示しないアンテナを含む通信回路を有し、各第１の読取部２１ａ〜２１ｂに対応する位置に設けられている。より具体的には、第２の読取部２２は、本体部２３に形成された収容部２４０と、その内部に埋め込まれた通信回路によって構成されている。
【００２４】
収容部２４０は、図４の部分拡大図に示すように、ケーブル４の芯線４１の線側ＲＦＩＤ（ｙ）が付された部分を、芯線４１毎に収容する。収容部２４０は、貫通穴２４１、開口２４２を有する。貫通穴２４１は、本体部２３の相反する側面を貫通する複数の円筒形状の穴が、互いに平行に形成された態様となっている。複数の貫通穴２４１は、第１の読取部２１ａ〜２１ｇに対応する位置に、等間隔で形成されている。貫通穴２４１の径ｄは、線側ＲＦＩＤ（ｙ）及び芯線４１を収容できる大きさとなっている。つまり、貫通穴２４１の径ｄは、線側ＲＦＩＤ（ｙ）及び芯線４１を合わせた部分の径よりも大きい。
【００２５】
また、開口２４２は、本体部２３の貫通穴２４１の一部が切り欠かれて外部と連通した部分である。本実施形態では、開口２４２は、貫通穴２４１の下部に、貫通穴２４１の軸に沿ってスリット状に形成されている。開口２４２の間隔ｗは、芯線４１の径よりも大きいが、貫通穴２４１の径よりも小さい。このため、開口２４２の対向する縁部は、貫通穴２４１の径が狭まるように突出した支持部２４３を構成している。開口２４２から、芯線４１の線側ＲＦＩＤ（ｙ）を貼付した部分を挿入して、貫通穴２４１に収容することにより、第２の読取部２２がＲＦＩＤの情報を読み取り可能となる。貫通穴２４１に挿入された芯線４１は、支持部２４３によって貫通穴２４１から外れ難くなる。
【００２６】
なお、各第１の読取部２１ａ〜２１ｇの間、各第２の読取部２２ａ〜２２ｇの間、各第１の読取部２１ａ〜２１ｇと各第２の読取部２２ａ〜２２ｇとの間には、互いの電波の干渉を避けるためにシールド部材を設けてもよい。同様の目的のために、本体部２３をシールド材料により形成してもよい。
【００２７】
読取装置２は、図５のブロック図に示すように、さらに記憶部２４、出力部２５を有する。記憶部２４は、第１の読取部２１、第２の読取部２２が読み取った識別情報を記憶する。記憶部２４は、メモリ等により構成されるが、揮発性のものであっても不揮発性のものであってもよい。出力部２５は、読み取られた識別情報を外部に出力する。出力部２５は、後述する接続確認装置３に接続コードを介して接続され、接続確認装置３に識別情報を出力するインタフェースである。なお、出力部２３は、無線により接続確認装置３に情報を送信する通信部であってもよい。
【００２８】
以上の読取装置２は、上記の各部を含む電子回路を備え、電源、スイッチ等を含むＲＦＩＤのリーダとして基本的な機能を有しているが、詳細は省略する。読み取った情報を表示するディスプレイを備えていてもよい。
【００２９】
（接続確認装置）
接続確認装置３は、パーソナルコンピュータ、タブレット端末、スマートフォン等のコンピュータを、プログラムで制御することで実現できる。この場合のハードウェアやプログラムの実現態様は各種変更可能である。
【００３０】
また、本実施形態の接続確認装置３は、上記のようなプログラム、そのようなプログラムを記録したコンピュータ読取可能な記憶媒体としても把握できる。以下の説明では、図６に示すように、本実施形態の各機能をブロックで図示した仮想的ブロック図を用いる。
【００３１】
接続確認装置３は、入力部３１、作表部３２、表示部３３、記憶部３４を有する。入力部３１は、読取装置２からの識別情報を入力する。入力部３１は、接続コードを介して、読取装置２からの識別情報が入力されるインタフェースである。なお、入力部３１は、無線により読取装置２からの情報を受信する通信部であってもよい。
【００３２】
作表部３２は、入力部３１から入力された識別情報を、対応する台側ＲＦＩＤ（ｘ）と線側ＲＦＩＤ（ｙ）とを紐づけて、テーブルを作成する。表示部３３は、作成したテーブルを表示する。表示部３３は、パーソナルコンピュータ、タブレット端末、スマートフォン等のディスプレイを用いる。
【００３３】
記憶部３４は、接続確認装置３に必要な情報を記憶する。記憶される情報は、識別情報、テーブルを含む。記憶部３４は、メモリ、ハードディスク等の記憶媒体を用いることができる。
【００３４】
［確認作業］
以上のような本実施形態のケーブル接続確認システムＳによる確認作業を、図１〜６に加えて、図７及び図８を参照して説明する。
【００３５】
まず、読取装置２によって、台側ＲＦＩＤ（ｘ）及び線側ＲＦＩＤ（ｙ）を、一括で読み取る手順を説明する。図３に示すように、ケーブル４の芯線４１は、その端部の線側端子４２が、端子台１２における台側端子Ｔに接続されている。より具体的には、線側端子４２が台側端子Ｔにねじ止めされている。
【００３６】
図２の例では、ケーブル符号がＭ０８３Ｘ０１のケーブル４は、芯線４１が２本の２芯であり、それぞれに線側ＲＦＩＤ（ｙ）が付けられている。それぞれの線側ＲＦＩＤ（ｙ）は、ケーブル符号として共通の「Ｍ０８３Ｘ０１」を記憶している。２芯のうちの１芯は端子番号０１の台側端子Ｔ１に接続され、もう１芯は端子番号０２の台側端子Ｔ２に接続されている。
【００３７】
また、符号Ｍ０８３Ｘ０２のケーブル４は、芯線４１が３本の３芯であり、それぞれに線側ＲＦＩＤ（ｙ）が付けられている。それぞれの線側ＲＦＩＤ（ｙ）は、ケーブル符号として共通の「Ｍ０８３Ｘ０２」を記憶している。３芯のうちの１芯は端子番号０４の台側端子Ｔ４に接続され、１芯は端子番号０５の台側端子Ｔ５に接続され、１芯は端子番号０６の台側端子Ｔ６に接続されている。
【００３８】
そして、図７に示すように、読取装置２の第１の読取部２１ａ〜２１ｇを、端子台１２に取り付けられた台側ＲＦＩＤ（ｘ１）〜（ｘ７）に近接させる（図２参照）。また、図４に示すように、収容部２４０の開口２４２から、芯線４１を、線側ＲＦＩＤ（ｙ）が付けられた部分とともに収容部２４０に挿入する。
【００３９】
ここで、台側端子Ｔ１〜Ｔ７に接続された芯線４１は、それぞれに対応する第２の読取部２２ａ〜２２ｇに挿入する。図７の例では、ケーブル符号がＭ０８３Ｘ０１のケーブル４の台側端子Ｔ１に接続された芯線４１は、第２の読取部２２ａの収容部２４０に挿入し、台側端子Ｔ２に接続された芯線４１は、第２の読取部２２ｂの収容部２４０に挿入する。ケーブル符号がＭ０８３Ｘ０２のケーブル４の台側端子Ｔ４に接続された芯線４１は、台２の読取部２２ｄの収容部２４０に挿入し、台側端子Ｔ５に接続された芯線４１は、第２の読取部２２ｅの収容部２４０に挿入し、台側端子Ｔ６に接続された芯線４１は、第２の読取部２２ｆの収容部２４０に挿入する。
【００４０】
これにより、第１の読取部２１によって台側ＲＦＩＤ（ｘ）の端子番号を読み取るとともに、第２の読取部２２によって線側ＲＦＩＤ（ｙ）のケーブル符号を読み取る。第１の読取部２１は、読み取った端子番号を｛０１、０２、０３、０４、０５、０６、０７｝の配列として記憶部２４に記憶する。第２の読取部２２は、読み取ったケーブル符号を端子番号の順に並べた｛Ｍ０８３Ｘ０１、Ｍ０８３Ｘ０１、ｎｕｌｌ、Ｍ０８３Ｘ０２、Ｍ０８３Ｘ０２、Ｍ０８３Ｘ０２、ｎｕｌｌ｝の配列として記憶部２４に記憶する。ｎｕｌｌは、その端子番号の台側端子Ｔには、芯線４１が接続されていないことを意味する。
【００４１】
以上のように読み取られた識別情報は、出力部２５が、接続コードを介して接続確認装置３に出力する。出力された識別情報は、接続確認装置３の入力部３１に入力され、記憶部３４に記憶される。作表部３２は、入力された識別情報の二つの行列に基づいて、ケーブル符号に関して正規化したテーブルを作成する。このようなテーブルの例を、図８に示す。このテーブルは、ケーブル符号Ｍ０８３Ｘ０１の芯線４１が、端子番号０１、０２の台側端子Ｔ１、Ｔ２に接続され、ケーブル符号Ｍ０８３Ｘ０２の芯線４１が、端子番号０４、０５、０６の台側端子Ｔ４、Ｔ５、Ｔ６に接続されていることを示している。テーブルは、表示部３３によって表示され、作業員は視覚により確認できる。
【００４２】
［作用効果］
（１）実施形態のケーブル接続装置１は、識別情報が記憶された線側ＲＦＩＤ（ｙ）が付されたケーブル４に電気的に接続される機器を有する筐体１１と、筐体１１に取り付けられ、ケーブル４を構成する芯線４１が着脱可能に接続される複数の台側端子Ｔを有する端子台１２と、各台側端子Ｔ毎に、各台側端子Ｔに対応する位置に設けられ、各台側端子Ｔを識別する識別情報が記憶された台側ＲＦＩＤ（ｘ）と、を有する。
【００４３】
このため、読取装置によって台側ＲＦＩＤ（ｘ）、線側ＲＦＩＤ（ｙ）から識別情報を読み取ることにより、端子台１２に対するケーブル４の接続の確認を、短時間で容易に行うことができる。これは、例えば、ケーブル４を一旦外すような、定期点検を行った後で、ケーブル符号と端子番号を確認するために使用できる。また、新たな機器を設置した後に、ケーブル符号と端子番号が図面通りに接続されているかの確認に使用できる。
【００４４】
（２）実施形態の読取装置２は、端子台１２に設けられた台側ＲＦＩＤ（ｘ）から識別情報を読み取る第１の読取部２１と、ケーブル４に設けられた線側ＲＦＩＤ（ｙ）から識別情報を読み取る第２の読取部２２とを有する。
【００４５】
このため、端子台１２の識別情報と、これに接続されたケーブル４の識別情報を、一括で読み取ることができ、確認時間を短縮化できる。
【００４６】
（３）第１の読取部２１は、各台側端子Ｔに対応する位置に複数配設されている。このため、複数の台側端子Ｔの識別情報を、一括で読み取ることができ、確認時間を短縮化できる。各第１の読取部２１の位置と各台側端子Ｔの位置を一致させることにより、各台側端子Ｔに合わせて設けられた台側ＲＦＩＤ（ｘ）に対する第１の読取部２１の位置合わせを容易に行うことができる。
【００４７】
（４）第２の読取部２２は、各第１の読取部に対応する位置に複数配設されている。このため、複数のケーブル４の接続状態を、まとめて確認することができる。
【００４８】
（５）第２の読取部２２は、ケーブル４の芯線４１の線側ＲＦＩＤ（ｙ）が付された部分を、芯線４１毎に収容する複数の収容部２４０を有する。このため、各ケーブル４を各収容部２４０に収容することにより、隣接する台側端子Ｔに接続されたケーブル４同士を間違うことなく、正確に識別情報を読みとることができる。
【００４９】
（６）第１の読取部２１と第２の読取部２２とは、共通の本体部２３に設けられている。このため、単一の装置で、台側ＲＦＩＤ（ｘ）、線側ＲＦＩＤ（ｙ）からの情報を読み取ることができ、複数の読取装置を用いる必要がない。
【００５０】
（７）実施形態のケーブル接続確認システムＳは、識別情報が入力される入力部３１と、入力部３１から入力された識別情報に基づいて、互いに接続されている台側端子Ｔとケーブル４との対応関係を示すテーブルを作成する作表部３２と、テーブルを表示する表示部３３とを有する。このため、作業者は、テーブルを参照することにより、接続状態を即座に把握できる。
【００５１】
［他の実施形態］
本実施形態は、上記のような態様には限定されない。
（１）台側端子Ｔ、ケーブル４、芯線４１、第１の読取部２１、第２の読取部２２の数は、上記の態様で例示した数には限定されない。また、本実施形態は、ケーブル４に電気的に接続される機器に広く適用可能であり、機器及びこれを収容する筐体の種類、形状、大きさは問わない。また、本実施形態のケーブル４は、外線ケーブルに限られない。例えば、工場において製造中の機器の盤内配線であるケーブルの接続が適正か否かを確認する用途に用いることもできる。
【００５２】
（２）端子台１２は、筐体１１の正面、背面、側面、上面、底面における内側、外側のいずれに設けてもよい。電力用の監視盤の場合、正面に設けられていると、確認作業がし易い。図１に示した端子台１２は、台側端子Ｔの配置方向が垂直方向となっているが、水平方向としてもよい。読取装置２は、端子台１２の方向にかかわらず適用可能である。但し、台側端子Ｔの配置を垂直方向とした場合には、読取装置２が縦となり、第２の読取部２２の収容部２４０が見易くなるので、ケーブル４の芯線４１を挿入する作業がし易い。
【００５３】
（３）第１の読取部２１の位置は、各台側ＲＦＩＤ（ｘ）に接近して識別情報を読み取ることができれば、上記の態様で示した位置には限定されない。第２の読取部２２の収容部２４０は、貫通穴２４１が角筒形状であってもよい。支持部２４３はなくてもよいが、支持部２４３があることにより、芯線４１の脱落が防止できる。また、収容部２４０は、貫通穴２４１でなくても、窪み、凹み等の線側ＲＦＩＤ（ｙ）が収容できる空間があればよい。さらに、線側ＲＦＩＤ（ｙ）からの情報を読み取ることができれば、収容部２４０がなくてもよい。
【００５４】
（４）本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１  ケーブル接続装置
１１  筐体
１１ａ  開口部
１２  端子台
１２ａ  本体
１２ｂ  ねじ
２  読取装置
２１、２１ａ〜２１ｇ  第１の読取部
２２、２２ａ〜２２ｇ  第２の読取部
２３  本体部
２４  記憶部
２５  出力部
２４０  収容部
２４１  貫通穴
２４２  開口
２４３  支持部
３  接続確認装置
３１  入力部
３２  作表部
３３  表示部
３４  記憶部
４  ケーブル
４１  芯線
４２  線側端子
４２ａ  穴
Ｔ１〜Ｔ７  台側端子
ｘ１〜ｘ７  台側ＲＦＩＤ
ｙ  線側ＲＦＩＤ
【図１】
2018045945.tif 000003
【図２】
2018045945.tif 000004
【図３】
2018045945.tif 000005
【図４】
2018045945.tif 000006
【図５】
2018045945.tif 000007
【図６】
2018045945.tif 000008
【図７】
2018045945.tif 000009
【図８】
2018045945.tif 000010